(57)【要約】【課題】複数人で１つの記録媒体を共有する際に、使い勝手のよい記録再生装置及びハードディスクレコーダーを提供する。【解決手段】本ハードディスクレコーダーにおいては、プラッタ５に記録されたファイル単位で、メモリ８にパスワードを登録可能である。そして、パスワードが登録されたファイルに対する再生又は消去指令があった場合、システムコントローラ９は、ユーザにパスワードの入力要求を行い、ユーザによって入力されたパスワードと登録されているパスワードとが一致した場合にのみ、そのファイルの再生又は消去を行わせる。パスワードは、ファイルの記録指令時及び再生リスト表示時に登録可能である。また、本体側入力部７とリモコン１０とに共通して設けられた入力キーのみを用いて、パスワードの登録及び入力が可能である。【選択図】図１
2007179654.tif 000002
【特許請求の範囲】
【請求項１】
内蔵されたプラッタに対する記録再生をファイル単位で行い、
ユーザが動作指令を行うための複数の入力キーがハードディスクレコーダー本体及びリモコンに備えられ、
前記プラッタに記録されたファイル一覧を再生リストとして表示装置に表示させることが可能なハードディスクレコーダーにおいて、
ファイルごとのパスワードが登録される格納手段と、
ユーザが、前記入力キーによって、前記格納手段にパスワードが登録されたファイルの再生又は消去指令を行った場合に、ユーザに、該ファイルについてその時点で前記格納手段に登録されているパスワードの入力を要求し、該ファイルについてその時点で前記格納手段に登録されているパスワードと入力されたパスワードとが一致した場合にのみ再生又は消去を実行させるパスワード確認手段と、
ファイルの記録指令時に、ユーザにパスワード登録の有無を尋ね、ユーザが、前記入力キーによってパスワードの登録指令を行った場合には、ユーザに登録したいパスワードの入力を要求し、前記入力キーによってユーザに入力されたパスワードを前記格納手段に登録させ、
ユーザが、前記格納手段にパスワードが登録されていない記録済みファイルについて、前記入力キーによってパスワードの登録指令を行った場合には、ユーザに登録したいパスワードの入力を要求し、前記入力キーによってユーザに入力されたパスワードを前記格納手段に登録させ、
ユーザが、前記格納手段にパスワードが登録されている記録済みファイルについて、前記入力キーによってパスワードの登録指令を行った場合には、ユーザに、該ファイルについてその時点で前記格納手段に登録されているパスワードの入力を要求し、該ファイルについてその時点で前記格納手段に登録されているパスワードと入力されたパスワードとが一致した場合にのみ、ユーザに新たに登録したいパスワードの入力を要求し、前記入力キーによってユーザに入力されたパスワードを、該ファイルについてその時点で前記格納手段に登録されているパスワードに代えて前記格納手段に登録させるパスワード登録手段とを備え、
前記複数の入力キーのうち、前記ハードディスクレコーダー本体と前記リモコンとに共通して備えられた入力キーのみを用いてパスワードの登録及び入力を行うことができ、
前記再生リストにおいて、前記格納手段にパスワードが登録されたファイルについては、該ファイルの内容の詳細を表示させないことを特徴とするハードディスクレコーダー。
【請求項２】
対応する記録媒体に対する記録再生をファイル単位で行い、
ユーザが動作指令を行うための複数の入力キーを備えた記録再生装置において、
ファイルごとのパスワードが登録される格納手段と、
ユーザが、前記入力キーによって、前記格納手段にパスワードが登録されたファイルの再生又は消去指令を行った場合に、ユーザに、該ファイルについてその時点で前記格納手段に登録されているパスワードの入力を要求し、該ファイルについてその時点で前記格納手段に登録されているパスワードと入力されたパスワードとが一致した場合にのみ再生又は消去を実行させるパスワード確認手段とを備えたことを特徴とする記録再生装置。
【請求項３】
ファイルの記録指令時に、ユーザにパスワード登録の有無を尋ね、ユーザが、前記入力キーによってパスワードの登録指令を行った場合には、ユーザに登録したいパスワードの入力を要求し、前記入力キーによってユーザに入力されたパスワードを前記格納手段に登録させるパスワード登録手段を備えたことを特徴とする請求項２に記載の記録再生装置。
【請求項４】
前記パスワード登録手段は、ユーザが、前記格納手段にパスワードが登録されていない記録済みファイルについて、前記入力キーによってパスワードの登録指令を行った場合には、ユーザに登録したいパスワードの入力を要求し、前記入力キーによってユーザに入力されたパスワードを前記格納手段に登録させ、
ユーザが、前記格納手段にパスワードが登録されている記録済みファイルについて、前記入力キーによってパスワードの登録指令を行った場合には、ユーザに、該ファイルについてその時点で前記格納手段に登録されているパスワードの入力を要求し、該ファイルについてその時点で前記格納手段に登録されているパスワードと入力されたパスワードとが一致した場合にのみ、ユーザに新たに登録したいパスワードの入力を要求し、前記入力キーによってユーザに入力されたパスワードを、該ファイルについてその時点で前記格納手段に登録されているパスワードに代えて前記格納手段に登録させることを特徴とする請求項２又は３に記載の記録再生装置。
【請求項５】
前記複数の入力キーは記録再生装置本体及びリモコンに備えられ、
前記複数の入力キーのうち、前記記録再生装置本体と前記リモコンとに共通して備えられた入力キーのみを用いてパスワードの登録及び入力を行うことができることを特徴とする請求項２から４いずれか１項に記載の記録再生装置。
【請求項６】
前記記録媒体に記録されたファイル一覧を再生リストとして表示装置に表示させることが可能であり、
前記再生リストにおいて、前記格納手段にパスワードが登録されたファイルについては、該ファイルの内容の詳細を表示させないことを特徴とする請求項２から５いずれか１項に記載の記録再生装置。
【請求項７】
対応する記録媒体に対する記録再生を行い、
ユーザが動作指令を行うための複数の入力キーが記録再生装置本体及びリモコンに備えられ、
パスワードを用いた制御を行う記録再生装置において、
前記複数の入力キーのうち、前記記録再生装置本体と前記リモコンとに共通して備えられた入力キーのみを用いてパスワードの登録及び入力を行うことができることを特徴とする記録再生装置。
【発明の詳細な説明】
【技術分野】
【０００１】
本発明は、映像、音声などの記録再生を行う記録再生装置及びハードディスクレコーダーに関する。
【背景技術】
【０００２】
ハードディスクやＤＶＤ（ディジタル・バーサタイル・ディスク）などは、１つの記録媒体の記録容量が非常に大きいことから、家族などの複数人で１つの記録媒体を共有するのが一般的である。そして、通常は、あるユーザによって記録された情報を、同じ記録媒体を共有する他のユーザが自由に再生、消去することが可能である。
【０００３】
しかしながら、複数人で共有する記録媒体に、他のユーザに再生されたくない情報、他のユーザに消去されたくない情報を記録したい場合もある。そこで、そのような場合に、他のユーザによる情報の再生、消去を防ぐための発明として、特許文献１、特許文献２に記載のものが知られている。
【０００４】
特許文献１に記載の発明は、共用モードと個人モードという２つのモードを備えたコンテンツ再生装置に関するものである。共用モードとは、何人もが自由に情報の記録、再生、消去を行うことができるモードである。そして、個人モードとは、暗証番号の入力によって入ることができるモードであり、個人モードにおいて記録された情報は、その個人モードにおいてのみ再生、消去、記録内容の確認が可能である。
【０００５】
特許文献１に記載の発明によると、個人モードにおいて記録された情報について、再生、消去、記録情報の確認を行うためには、暗証番号を入力して個人モードに入る必要がある。したがって、個人モードにおいて情報の記録を行えば、その情報の、他のユーザによる再生、消去、記録情報の確認を防止することが可能となる。
【０００６】
特許文献２に記載の発明は、ユーザ名及びパスワードの入力によるログイン機能を備えた映像記録装置に関するものである。ログインがなされた状態において情報の記録指令が行われたとき、記録指令を出したユーザ情報が関連付けられて情報の記録が行われ、この情報の再生は、記録指令を出したユーザと、そのユーザに視聴を許可されたユーザのみが行うことが可能となり、この情報の消去は、記録指令を出したユーザのみが行うことが可能となる。
【０００７】
特許文献２に記載の発明によると、ログインがなされた状態において記録指令が行われた情報については、記録指令を出したユーザと、そのユーザに視聴を許可されたユーザのみが再生可能であり、記録指令を出したユーザのみが消去可能であるので、ログインした状態において情報の記録指令を行えば、その情報の、望まない他のユーザによる再生、他のユーザによる消去を防止することが可能である。
【特許文献１】特開２００３−１７４６０６号公報
【特許文献２】特開２００３−２９９０２３号公報
【発明の開示】
【発明が解決しようとする課題】
【０００８】
特許文献１、特許文献２に記載の発明はいずれも、１のユーザに対してパスワードが１つ登録されるだけである。したがって、その１つのパスワードが何らかの理由によって他のユーザに知られてしまうと、そのユーザの個人モードで記録された全てのファイルが他のユーザによって再生、消去可能となってしまう。したがって、１つのパスワードの流出による被害が大きく、そのパスワードの厳重な管理が求められ、複数人で１つの記録媒体を共有する場合には、使い勝手の面で問題があるといえる。
【０００９】
また、特許文献１に記載の発明においては、個人ではなく全ユーザのうちの数人によって１つの情報を共有したい場合に、その情報を共有モードにおいて記録するしかなく、それ以外のユーザの再生を防止することができない。特許文献２に記載の発明においては、個人ではなく全ユーザのうちの数人によって１つの情報を共有したい場合に、そのうちの一人のログイン時に記録指令を行い、その情報を記録したユーザが他のユーザに対して視聴の許可を与えるという手間がかかる。したがって、複数人で１つの記録媒体を共有する場合には、使い勝手の面で問題があるといえる。
【００１０】
特許文献１、特許文献２に記載の発明はいずれも、他のユーザによる情報の再生、消去を防止するためには、その情報の記録指令時に個人モードにログインする必要がある。したがって、他のユーザによる再生、消去を防止したい情報と、そうでない情報の記録指令を連続して行うときに、モードの切り換えが必要となる。また、情報の記録指令時に、他のユーザによる再生、消去を防止するかどうかについての判断を下さなければならない。しかしながら、家族皆で共有しても問題ないとの判断から記録された情報が暴力シーンやアダルトシーンなどを含むことが後に判明し、子供に対する視聴制限をかけたいといった状況は一般に起こり得る。特許文献１、特許文献２に記載の発明は、そのような状況に対応できず、複数人で１つの記録媒体を共有する場合には、使い勝手の面で問題があるといえる。
【００１１】
また、一般的な記録再生装置においては、パスワードの登録及び入力はリモコンによって行われる。リモコンを用いると、記録再生装置から離れた状態でパスワードの登録及び入力を行うことができる点では便利である。しかしながら、リモコンは持ち運び自由であるため、紛失、故障などの問題が起きやすい。一般的な記録再生装置においては、リモコンが紛失、故障などした場合、パスワードの登録及び入力ができず、パスワードによる再生制限がなされた情報の再生が不可能になってしまうなどの問題が発生する。したがって、複数人で１つの記録媒体を共有する場合には、使い勝手の面で問題があるといえる。
【００１２】
以上の問題点を鑑みて、本発明においては、１つのパスワードの流出による被害が小さく、個人ではなく全ユーザのうちの数人によって１つの情報を共有したい場合に手間がかからない記録再生装置及びハードディスクレコーダーを提供することを目的とする。本発明の他の目的は、パスワードによる他のユーザの再生、消去の制限をかけたい情報とそうでない情報の記録指令を連続して行うときにモードを切り換える必要が無い記録再生装置及びハードディスクレコーダーを提供することである。本発明の他の目的は、パスワードによる他のユーザの再生、消去の制限を記録指令時のみならず記録後にも行うことができる記録再生装置及びハードディスクレコーダーを提供することである。本発明の他の目的は、リモコンが紛失、故障などした場合にもパスワードの登録及び入力が可能な記録再生装置及びハードディスクレコーダーを提供することである。
【課題を解決するための手段】
【００１３】
本発明においては、ハードディスクレコーダーは、内蔵されたプラッタに対する記録再生をファイル単位で行い、ユーザが動作指令を行うための複数の入力キーがハードディスクレコーダー本体及びリモコンに備えられ、前記プラッタに記録されたファイル一覧を再生リストとして表示装置に表示させることが可能なハードディスクレコーダーにおいて、ファイルごとのパスワードが登録される格納手段と、ユーザが、前記入力キーによって、前記格納手段にパスワードが登録されたファイルの再生又は消去指令を行った場合に、ユーザに、該ファイルについてその時点で前記格納手段に登録されているパスワードの入力を要求し、該ファイルについてその時点で前記格納手段に登録されているパスワードと入力されたパスワードとが一致した場合にのみ再生又は消去を実行させるパスワード確認手段と、ファイルの記録指令時に、ユーザにパスワード登録の有無を尋ね、ユーザが、前記入力キーによってパスワードの登録指令を行った場合には、ユーザに登録したいパスワードの入力を要求し、前記入力キーによってユーザに入力されたパスワードを前記格納手段に登録させ、ユーザが、前記格納手段にパスワードが登録されていない記録済みファイルについて、前記入力キーによってパスワードの登録指令を行った場合には、ユーザに登録したいパスワードの入力を要求し、前記入力キーによってユーザに入力されたパスワードを前記格納手段に登録させ、ユーザが、前記格納手段にパスワードが登録されている記録済みファイルについて、前記入力キーによってパスワードの登録指令を行った場合には、ユーザに、該ファイルについてその時点で前記格納手段に登録されているパスワードの入力を要求し、該ファイルについてその時点で前記格納手段に登録されているパスワードと入力されたパスワードとが一致した場合にのみ、ユーザに新たに登録したいパスワードの入力を要求し、前記入力キーによってユーザに入力されたパスワードを、該ファイルについてその時点で前記格納手段に登録されているパスワードに代えて前記格納手段に登録させるパスワード登録手段とを備え、前記複数の入力キーのうち、前記ハードディスクレコーダー本体と前記リモコンとに共通して備えられた入力キーのみを用いてパスワードの登録及び入力を行うことができ、前記再生リストにおいて、前記格納手段にパスワードが登録されたファイルについては、該ファイルの内容の詳細を表示させないことを特徴とする。
【００１４】
これによると、１つのパスワードの流出による被害が小さく、個人ではなく全ユーザのうちの数人によって１つの記録情報を共有したい場合に手間がかからないハードディスクレコーダーが提供される。また、パスワードによる他のユーザの再生、消去の制限をかけたい情報とそうでない情報の記録指令を連続して行うときにモードを切り換える必要が無く、パスワードによる他のユーザの再生、消去の制限を記録指令時のみならず記録後にも行うことができ、リモコンが紛失、故障などした場合にもパスワードの登録及び入力が可能である。以上の効果より、複数人で１つの記録媒体を共有する際に使い勝手のよいハードディスクレコーダーが提供される。
【００１５】
本発明においては、記録再生装置は、対応する記録媒体に対する記録再生をファイル単位で行い、ユーザが動作指令を行うための複数の入力キーを備えた記録再生装置において、ファイルごとのパスワードが登録される格納手段と、ユーザが、前記入力キーによって、前記格納手段にパスワードが登録されたファイルの再生又は消去指令を行った場合に、ユーザに、該ファイルについてその時点で前記格納手段に登録されているパスワードの入力を要求し、該ファイルについてその時点で前記格納手段に登録されているパスワードと入力されたパスワードとが一致した場合にのみ再生又は消去を実行させるパスワード確認手段とを備えたことを特徴とする。
【００１６】
これによると、記録媒体に記録されたファイルごとに、格納手段に登録されたパスワード及びパスワード確認手段を用いて、再生、消去の制限が可能となるので、１つのパスワードが他のユーザに知られても、１つのファイルが他のユーザによって再生、消去可能となるだけであり、１ユーザに１パスワードを割り当てる方法に比べて１つのパスワードの流出による被害が小さく、複数人で１つの記録媒体を共有する際に使い勝手が向上する。また、記録媒体に記録されたファイルごとに異なるパスワードによる再生、消去の制限が可能であるので、個人ではなく、全ユーザのうちの数人によって１つのファイルを共有したい場合に、そのファイルにパスワードを登録し、共有したいユーザにのみそのパスワードを教えればよいので、手間がかからず、複数人で１つの記録媒体を共有する際に使い勝手が向上する。
【００１７】
本発明においては、上記構成の記録再生装置において、ファイルの記録指令時に、ユーザにパスワード登録の有無を尋ね、ユーザが、前記入力キーによってパスワードの登録指令を行った場合には、ユーザに登録したいパスワードの入力を要求し、前記入力キーによってユーザに入力されたパスワードを前記格納手段に登録させるパスワード登録手段を備えたことを特徴とする。
【００１８】
これによると、ファイルの記録指令時に、パスワード登録手段によって、ユーザにパスワード登録の有無を尋ね、格納手段にパスワードを登録することができるので、他のユーザの再生、消去の制限をかけたい情報の記録指令を行うときにログインが不要である。したがって、他のユーザの再生、消去の制限をかけたい情報と、そうでない情報の記録指令を連続して行うときにモードを切り換える必要が無い。したがって、複数人で１つの記録媒体を共有する際に使い勝手が向上する。
【００１９】
本発明においては、上記構成の記録再生装置において、前記パスワード登録手段は、ユーザが、前記格納手段にパスワードが登録されていない記録済みファイルについて、前記入力キーによってパスワードの登録指令を行った場合には、ユーザに登録したいパスワードの入力を要求し、前記入力キーによってユーザに入力されたパスワードを前記格納手段に登録させ、ユーザが、前記格納手段にパスワードが登録されている記録済みファイルについて、前記入力キーによってパスワードの登録指令を行った場合には、ユーザに、該ファイルについてその時点で前記格納手段に登録されているパスワードの入力を要求し、該ファイルについてその時点で前記格納手段に登録されているパスワードと入力されたパスワードとが一致した場合にのみ、ユーザに新たに登録したいパスワードの入力を要求し、前記入力キーによってユーザに入力されたパスワードを、該ファイルについてその時点で前記格納手段に登録されているパスワードに代えて前記格納手段に登録させることを特徴とする。
【００２０】
これによると、記録媒体に記録済みのファイルについて、パスワード登録手段によって、パスワードの登録、更新を行うことができる。つまり、パスワードによる他のユーザの再生、消去の制限を、ファイルの記録指令時のみならず、記録後にも行うことができることとなる。したがって、複数人で１つの記録媒体を共有する際に使い勝手が向上する。
【００２１】
本発明においては、上記構成の記録再生装置において、前記複数の入力キーは記録再生装置本体及びリモコンに備えられ、前記複数の入力キーのうち、前記記録再生装置本体と前記リモコンとに共通して備えられた入力キーのみを用いてパスワードの登録及び入力を行うことができることを特徴とする。
【００２２】
これによると、記録再生装置本体とリモコンとに共通して備えられた入力キーのみを用いてパスワードの登録及び入力を行うことができるので、リモコンが紛失、故障などしても、パスワードの登録及び入力に支障がなく、複数人で１つの記録媒体を共有する際に使い勝手が向上する。
【００２３】
本発明においては、上記構成の記録再生装置において、前記記録媒体に記録されたファイル一覧を再生リストとして表示装置に表示させることが可能であり、前記再生リストにおいて、前記格納手段にパスワードが登録されたファイルについては、該ファイルの内容の詳細（例えばサムネイルやチャンネル、ジャンル、画質、記録日時など）を表示させないことを特徴とする。
【００２４】
これによると、再生リストにおいて、パスワードが登録されたファイルについては、該ファイルの内容の詳細を表示させないので、パスワードを登録したファイルの記録内容の詳細を、パスワードを知らない他のユーザに知られることを防ぐことができ、複数人で１つの記録媒体を共有する際に使い勝手が向上する。
【００２５】
本発明においては、記録再生装置は、対応する記録媒体に対する記録再生を行い、ユーザが動作指令を行うための複数の入力キーが記録再生装置本体及びリモコンに備えられ、パスワードを用いた制御を行う記録再生装置において、前記複数の入力キーのうち、前記記録再生装置本体と前記リモコンとに共通して備えられた入力キーのみを用いてパスワードの登録及び入力を行うことができることを特徴とする。
【００２６】
これによると、パスワードを用いた制御を行う記録再生装置において、記録再生装置本体とリモコンとに共通して備えられた入力キーのみを用いてパスワードの登録及び入力を行うことができるので、リモコンが紛失、故障などしても、パスワードの登録及び入力に支障がなく、複数人で１つの記録媒体を共有する際に使い勝手が向上する。
【発明の効果】
【００２７】
本発明によると、１つのパスワードの流出による被害が小さく、個人ではなく全ユーザのうちの数人によって１つの記録情報を共有したい場合に手間がかからない記録再生装置及びハードディスクレコーダーが提供される。また、パスワードによる他のユーザの再生、消去の制限をかけたい情報とそうでない情報の記録指令を連続して行うときにモードを切り換える必要が無く、パスワードによる他のユーザの再生、消去の制限を記録指令時のみならず記録後にも行うことができ、リモコンが紛失、故障などした場合にもパスワードの登録及び入力が可能である。以上の効果より、複数人で１つの記録媒体を共有する際に使い勝手のよい記録再生装置及びハードディスクレコーダーが提供される。
【発明を実施するための最良の形態】
【００２８】
本発明の実施形態について、図面を用いて説明すれば以下の通りである。
【００２９】
図１は、本発明の実施形態に係るハードディスクレコーダーの概略の構成を示すブロック図である。ハードディスクレコーダー本体１（記録再生装置本体）は、チューナー２と、信号処理部３と、記録再生機構４と、プラッタ５（記録媒体）と、受光手段６と、本体側入力部７と、メモリ８（格納手段）と、システムコントローラ９（パスワード確認手段、パスワード登録手段）とを備えている。また、本実施形態に係るハードディスクレコーダーには、ハードディスクレコーダー本体１と独立して持ち運び可能なリモコン１０が備えられている。そして、チューナー２にはアンテナ２０が接続され、信号処理部３にはテレビジョン装置３０（表示装置）が接続されている。
【００３０】
本実施形態に係るハードディスクレコーダーを用いて放送情報を記録する時の処理の流れは以下の通りである。まず、チューナー２が、アンテナ２０を介して放送信号を受信し、受信した放送信号に対応する中間周波信号を信号処理部３に出力する。次に、信号処理部３は、チューナー２からの中間周波信号に各種信号処理を施し、得られた記録信号を記録再生機構４に送る。そして、記録再生機構４は信号処理部３から送られた記録信号をプラッタ５に記録する。
【００３１】
また、本実施形態に係るハードディスクレコーダーを用いて情報を再生する時の処理の流れは以下の通りである。まず、記録再生機構４がプラッタ５に記録されたディジタル記録信号を読み取り、このディジタル記録信号を信号処理部３に送出する。次に、信号処理部３は、記録再生機構４で読み取られたディジタル記録信号に各種の信号処理を施し、出力信号をテレビジョン装置３０へ出力する。そして、テレビジョン装置３０を介して、映像、音声などが再生される。
【００３２】
受光手段６は、リモコン１０に備えられた複数の入力キーの入力によって行われる各種指令に対応した、リモコン１０からの赤外線信号を受光し、これを電気信号に変換してシステムコントローラ９に伝達する。本体側入力部７には、複数の入力キーが備えられ、この複数の入力キーの入力によって行われる各種指令を電気信号に変換してシステムコントローラ９に伝達する。なお、本体側入力部７及びリモコン１０に備えられた複数の入力キーの詳細については後述する。
【００３３】
また、本実施形態に係るハードディスクレコーダーは、複数のユーザに使用されることを想定し、プラッタ５に記録されたファイルごとに、パスワードによる再生、消去の制限を行うことが可能となっている。そして、各ファイルについて登録されたパスワードはメモリ８に記録される。
【００３４】
システムコントローラ９は、チューナー２と、信号処理部３と、記録再生機構４と、プラッタ５と、受光手段６と、本体側入力部７と、メモリ８とに接続され、これらに対して制御指示信号を出力することで、各種動作を実行させている。
【００３５】
図２は、本実施形態に係るハードディスクレコーダーの電源が入力された直後に、テレビジョン装置３０に表示される再生リスト４０の表示例を示す説明図である。ここで、再生リスト４０とは、プラッタ５に記録されたファイルの一覧を表示するものであり、左側のシリアル番号表示部４１に、ファイルごとのシリアル番号を表す３桁の数字が表示され、シリアル番号表示部４１の右側のタイトル表示部４２に、ファイルごとのタイトルが表示される。また、タイトル表示部４２の右側のサムネイル表示部４３に、ファイルごとのサムネイルが表示され、サムネイル表示部４３の右側の記録内容表示部４４に、ファイルごとの記録内容が表示される。
【００３６】
そして、シリアル番号表示部４１に表示される各シリアル番号のうちいずれか１つを囲むように矩形のカーソル４５が表示される。このカーソル４５は本体側入力部７又はリモコン１０の入力キーの操作によって移動させることができ、カーソル４５で選択したファイルに対して、本体側入力部７又はリモコン１０の入力キーの操作によって、再生や消去などの指令が可能である。
【００３７】
また、タイトル表示部４２に表示される各ファイルのタイトルは、該ファイルの記録指令時に入力される。サムネイル表示部４３、記録内容表示部４４には、パスワードが登録されていないファイルについてのみ、サムネイルと記録内容が表示され、パスワードが登録されているファイルについては、サムネイルと記録内容は表示されない。つまり、図２においては、シリアル番号００１、００２、００５のファイルには、パスワードが登録されておらず、シリアル番号００３、００４のファイルには、パスワードが登録されている。なお、サムネイルは、各ファイルの画像の先頭フレームに基づいて作成されている。
【００３８】
次に、ファイルに対する再生又は消去の要求があった場合の、システムコントローラ９の制御手順を示す。この場合、システムコントローラ９は、図３のフローチャートに示す制御を行う。すなわち、ユーザの、本体側入力部７又はリモコン１０に備えられた入力キーによる、ファイルに対する再生又は消去の要求があると（Ｓ1）、そのファイルにパスワードが登録されているかどうかを、メモリ８を探索することによって調べる（Ｓ2）。パスワードが登録されている場合は、信号処理部３、テレビジョン装置３０を介してパスワードの入力をユーザに要求する（Ｓ3）。パスワードが登録されていない場合は、要求された、ファイルの再生又は消去を実行させる（Ｓ5）。
【００３９】
そして、パスワードの入力をユーザに要求した場合は、ユーザが本体側入力部７又はリモコン１０に備えられた入力キーによって入力したパスワードが、該ファイルについてメモリ８に登録されたパスワードと一致しているかどうかを判定し（Ｓ4）、両パスワードが一致しているならば、要求された、ファイルの再生又は消去を実行させる（Ｓ5）。両パスワードが一致していないならば、再度パスワードの入力を、信号処理部３、テレビジョン装置３０を介してユーザに要求する（Ｓ3）。
【００４０】
図３に示すフローチャートにおいては、ユーザによって入力されたパスワードが、該ファイルについてメモリ８に登録されたパスワードに一致しない場合、無限にパスワード入力要求を続ける構成になっている。しかしながら、パスワード入力要求を連続して行う最大回数を設定し、ユーザによって入力されたパスワードが、該ファイルについてメモリ８に登録されたパスワードに連続して一致しない回数が設定された最大回数に達した場合に、一定時間、パスワードの入力が不可能になるようにしてもよい。そのようにすると、コンピュータを用いた悪意ある第３者によるパスワード解読の防止策となる。
【００４１】
なお、各ファイルについてのパスワードの登録は、該ファイルの記録指令時及び再生リスト４０表示時に行うことができる。まず、該ファイルの記録指令時において、メモリ８にパスワードを登録するときの処理の流れについて説明する。記録指令時には、システムコントローラ９は、パスワードの登録を行うかどうかを、信号処理部３、テレビジョン装置３０を介してユーザに尋ねる。そして、ユーザが、本体側入力部７又はリモコン１０に備えられた入力キーによって、パスワードの登録を行う指令を入力した場合は、システムコントローラ９は、ユーザに対して、登録したいパスワードの入力要求を、信号処理部３、テレビジョン装置３０を介して行う。その後、ユーザが、本体側入力部７又はリモコン１０に備えられた入力キーによって入力したパスワードがメモリ８に登録される。なお、ミスを防ぐために、パスワードの入力要求は複数回なされるのが一般的である。
【００４２】
次に、再生リスト４０表示時において、メモリ８にパスワードを登録するときの処理の流れについて説明する。再生リスト４０がテレビジョン装置３０に表示され、カーソル４５が、メモリ８にパスワードが登録されていないファイルに対応するシリアル番号を選択しているときに、ユーザが、本体側入力部７又はリモコン１０に備えられた入力キーによって、パスワードの登録指令を行った場合には、システムコントローラ９は、ユーザに対して、登録したいパスワードの入力要求を、信号処理部３、テレビジョン装置３０を介して行う。その後、ユーザが、本体側入力部７又はリモコン１０に備えられた入力キーによって入力したパスワードがメモリ８に登録される。なお、ミスを防ぐために、パスワードの入力要求は複数回なされるのが一般的である。
【００４３】
また、再生リスト４０がテレビジョン装置３０に表示され、カーソル４５が、既にメモリ８にパスワードが登録されているファイルに対応するシリアル番号を選択しているときに、ユーザが、本体側入力部７又はリモコン１０に備えられた入力キーによって、パスワードの登録指令を行った場合には、システムコントローラ９は、ユーザに対して、該ファイルについてその時点でメモリ８に登録されているパスワードの入力要求を、信号処理部３、テレビジョン装置３０を介して行う。そして、該ファイルについてその時点でメモリ８に登録されているパスワードと、ユーザによって入力されたパスワードとが一致した場合に、システムコントローラ９は、ユーザに対して、新たに登録したいパスワードの入力要求を、信号処理部３、テレビジョン装置３０を介して行い、ユーザによって入力されたパスワードが、それまでに該ファイルについて登録されていたパスワードに代わって、メモリ８に登録される。なお、ミスを防ぐために、新たに登録したいパスワードの入力要求は複数回なされるのが一般的である。
【００４４】
次に、本実施形態に係る本体側入力部７、リモコン１０の詳細について説明する。図４は、本実施形態に係るハードディスクレコーダー本体１の前面の詳細を示す説明図である。ハードディスクレコーダー本体１の前面には、受光手段６と、本体側入力部７と、蛍光表示管５０とが備えられている。本体側入力部７は、電源入力キー６０と、巻き戻しキー６１と、早送りキー６２と、録画キー６３と、停止キー６４と、再生キー６５と、一時停止キー６６と、パスワード登録キー６７と、ファイル消去キー６８とを備えている。蛍光表示管５０は、時計やそのときのハードディスクレコーダー本体１の動作の状態を表示する。
【００４５】
また、図５は、本実施形態に係るリモコン１０の詳細を示す説明図である。なお、本体側入力部における入力キーと同じ指令を行う入力キーには同じ符号を付している。つまり、図５に示すリモコン１０は、本体側入力部７と同様に、電源入力キー６０と、巻き戻しキー６１と、早送りキー６２と、録画キー６３と、停止キー６４と、再生キー６５と、一時停止キー６６と、パスワード登録キー６７と、ファイル消去キー６８とを備えている。また、リモコン１０は、上記キー以外に、数字入力キー群７０などを備えている。
【００４６】
このようなリモコン１０を備えたハードディスクレコーダーにおいては、パスワードは、一般的には、数字入力キー群７０によって入力される数字の列である。つまり、パスワードを５桁とする場合には、一般的には、９−５−４−７−３のように、５つの数字の列によってパスワードが構成される。
【００４７】
このような構成とすると、本体側入力部７には数字入力キー群７０がないことから、リモコン１０を用いることによってのみ、パスワードの登録及び入力が可能となる。したがって、一般的な記録再生装置においては、リモコン１０が紛失、故障などした場合、パスワードの登録及び入力ができず、パスワードによる再生制限がなされた情報の再生が不可能になってしまうといった状況が起こり得るので、複数人で１つの記録媒体を共有する場合には、使い勝手の面で問題があるといえる。
【００４８】
そこで、本実施形態に係るハードディスクレコーダーにおいては、パスワードは、本体側入力部７及びリモコン１０に共通して備えられたキーに対応する記号列によって構成される。つまり、電源入力キー６０とパスワード登録キー６７と、ファイル消去キー６８とを除く、本体側入力部７とリモコン１０に共通して備えられたキーである、巻き戻しキー６１と、早送りキー６２と、録画キー６３と、停止キー６４と、再生キー６５と、一時停止キー６６に対応する記号列によってパスワードが構成される。すなわち、パスワードを５桁とする場合には、図６に示すような記号列によってパスワードが構成されることとなる。
【００４９】
なお、再生リスト４０表示時における、パスワード登録指令は、パスワード登録キー６７の入力によって行うことができ、ファイルの消去指令は、ファイル消去キー６８の入力によって行うことができる。
【００５０】
本実施形態においては、ファイルごとにパスワードによる再生、消去の制限が可能となるので、１つのパスワードが他のユーザに知られても、１つのファイルが他のユーザによって再生、消去可能となるだけであり、１ユーザに１パスワードを割り当てる方法に比べて１つのパスワードの流出による被害が小さく、複数人で１つのハードディスクレコーダーを共有する際に使い勝手が向上する。また、個人ではなく、全ユーザのうちの数人によって１つのファイルを共有したい場合に、そのファイルにパスワードを登録し、共有したいユーザにのみそのパスワードを教えればよいので、手間がかからず、複数人で１つのハードディスクレコーダーを共有する際に使い勝手が向上する。
【００５１】
本実施形態においては、他のユーザの再生、消去の制限をかけたい情報の記録指令を行うときにログインが不要であるので、他のユーザの再生、消去の制限をかけたい情報と、そうでない情報の記録指令を連続して行うときにモードを切り換える必要が無く、また、パスワードによる他のユーザの再生、消去の制限を記録指令時のみならず、記録後にも行うことができるので、複数人で１つのハードディスクレコーダーを共有する際に使い勝手が向上する。
【００５２】
また、本実施形態においては、本体側入力部７とリモコン１０とに共通して備えられた入力キーのみを用いてパスワードの登録及び入力を行うことができるので、リモコンが紛失、故障などしても、パスワードの登録及び入力に支障がなく、複数人で１つの記録媒体を共有する際に使い勝手が向上する。
【００５３】
本実施形態においては、再生リスト４０において、パスワードが登録されたファイルについては、サムネイル表示部４３にサムネイルを表示せず、かつ、記録内容表示部４４に記録内容を表示しないので、パスワードを登録したファイルの記録内容の詳細を、パスワードを知らない他のユーザに知られることを防ぐことができ、複数人で１つの記録媒体を共有する際に使い勝手が向上する。
【００５４】
なお、本発明は上記の実施の形態に限定されず、本発明の趣旨を逸脱しない範囲で、種々の変更が可能である。例えば、本発明が適用される記録再生装置は、ハードディスクレコーダーでなくともよく、ＤＶＤレコーダーなどでもよい。
【産業上の利用可能性】
【００５５】
本発明は、映像・音声などの記録再生を行う記録再生装置及びハードディスクレコーダーとして有効である。
【図面の簡単な説明】
【００５６】
【図１】本発明の実施形態に係るハードディスクレコーダーの概略の構成を示すブロック図である。
【図２】テレビジョン装置に出力される再生リストの表示例を示す説明図である。
【図３】ファイルに対する再生又は消去の要求があった場合の、システムコントローラの制御手順を示すフローチャートである。
【図４】本実施形態に係るハードディスクレコーダー本体の前面の詳細を示す説明図である。
【図５】本実施形態に係るリモコンの詳細を示す説明図である。
【図６】本実施形態に係るパスワードの構成例を示す説明図である。
【符号の説明】
【００５７】
１    ハードディスクレコーダー本体（記録再生装置本体）
５    プラッタ（記録媒体）
８    メモリ（格納手段）
９    システムコントローラ（パスワード確認手段、パスワード登録手段）
１０    リモコン
３０    テレビジョン装置（表示装置）
４０    再生リスト
【図１】
2007179654.tif 000003
【図２】
2007179654.tif 000004
【図３】
2007179654.tif 000005
【図４】
2007179654.tif 000006
【図５】
2007179654.tif 000007
【図６】
2007179654.tif 000008